(57)【要約】【課題】先端工具の傾き角度を手元で調整できるホットスティック用接続補助具を提供する。【解決手段】接続補助具１０は、第１菊座部１１ｔを有する先端工具１ｔを先端部に着脱できる。ホットスティックＨｓは、操作棒１、第１回転軸１２、及びハンドル２を備える。第１回転軸１２は、操作棒１の内部に回転支持される。ハンドル２は、操作棒１の基端部に配置され、第１回転軸１２に回転を伝動できる。接続補助具１０は、移動ナット３、ラック３１、ピニオン４１、第２回転軸４２、及び工具取り付け具５を備える。移動ナット３は、トップ金具１５に保持され、第１回転軸１２の回転運動を進退運動に変換する。ラック３１とピニオン４１は、移動ナット３の進退運動を第２回転軸４２の回転運動に変換する。工具取り付け具５は、第２回転軸４２に基端部が固定され、第１菊座部１１ｔを結合可能な第２菊座部５２ｂを先端部に有する。【選択図】図３
2012228070.tif 000002
【特許請求の範囲】
【請求項１】
内部が中空の絶縁性を有する長尺の操作棒、この操作棒の内部に回転自在に支持された第１回転軸、及び前記操作棒の基端部側に配置され、前記第１回転軸に回転を伝動するハンドルを備え、円板状の第１菊座部を有する先端工具を着脱自在に先端部に取り付け可能なホットスティック用接続補助具であって、
前記操作棒の先端部に固定された円筒状のトップ金具と、
前記操作棒の軸方向に移動が許容されるように、前記トップ金具の内部に支持され、前記第１回転軸の回転運動が当該第１回転軸の軸方向の進退運動に変換される円筒状の移動ナットと、
この移動ナットから前記操作棒の先端部に向けて部分的に突出する帯板状のラックと、
前記ラックと噛み合って当該ラックの進退運動が回転運動に変換されるピニオンと、
このピニオンを固定すると共に、前記トップ金具の先端部に両軸支持される第２回転軸と、
この第２回転軸に基端部が固定され、前記第１菊座部を結合可能な円板状の第２菊座部を先端部に有する工具取り付け具と、を備え、
前記ハンドルを回転操作すると、前記第２回転軸を中心に前記先端工具を所定の角度に傾動できるホットスティック用接続補助具。
【請求項２】
前記工具取り付け具は、
前記第２回転軸が圧入される圧入穴を基端部に設け、正四角形に開口された嵌合穴を先端部の端面に穿設した棒状の保持部材と、
前記保持部材の嵌合穴に嵌合可能な正四角柱状の突部を基端部に設け、前記第２菊座部を先端部に設ける菊座アダプタと、
前記突部が前記嵌合穴に挿入された状態を維持するように、前記保持部材に螺合するねじ部を突出する締結具と、を有する請求項１記載のホットスティック用接続補助具。
【請求項３】
前記第１回転軸は、その先端部側に雄ねじ部を有し、
前記移動ナットは、前記雄ねじ部に螺合する雌ねじ部を中心部に有する請求項１又は２記載のホットスティック用接続補助具。
【請求項４】
前記トップ金具に対して前記移動ナットの回転が抑制される回り止め手段を更に備え、
この回り止め手段は、
前記移動ナットの外周に穿設された複数のＶ字状の第１溝を含み、
これらの第１溝に保持される球体を含み、
前記第１溝に対向して前記トップ金具の内壁に形成されると共に、前記トップ金具の先端部側の端縁から基端部側に向かって軸中心と平行に延び、前記球体を転動可能に案内するＶ字状の第２溝を含んでいる請求項１から３のいずれかに記載のホットスティック用接続補助具。
【発明の詳細な説明】
【技術分野】
【０００１】
本発明は、ホットスティック用接続補助具に関する。特に、架空電線などを間接活線工法で配電工事するときに使用され、配電作業用工具を先端部に着脱可能なホットスティック（絶縁操作棒）用接続補助具の構造に関する。
【背景技術】
【０００２】
架空電線を無停電で配電工事を行う活線作業には、直接活線工法と間接活線工法の二通りがある。直接活線工法は、作業者が高圧ゴム手袋などの保護具を着用して、通電中の架空電線に直接触れて配電工事を行う。一方、間接活線工法は、作業者がホットスティックなどを用いて、通電中の架空電線に直接触れることなく配電工事を行うことができる。
【０００３】
一般に、ホットスティックは、長尺の操作棒とこの操作棒の先端部に取り付けた配電作業用工具（以下、先端工具という）で構成している。そして、ホットスティックは、架空電線を把持、又は切断するなど、作業目的に対応して、先端工具を交換できるように構成している。
【０００４】
例えば、ホットスティックは、障害物などに影響されることなく、確実に作業できるように、円板状の菊座部を突出する菊座アダプタを用いて、操作棒の先端部と先端工具を連結し、操作棒に対する先端工具の傾きを調整している。
【０００５】
又、ホットスティックには、両端部に菊座部を有する接続補助具を用いて、操作棒の先端部に設けた菊座アダプタと先端工具を中継し、操作棒に対する先端工具の傾きの自由度を多くしたものが開示されている（例えば、特許文献１参照）。
【先行技術文献】
【特許文献】
【０００６】
【特許文献１】特開２００９−７１９１１号公報
【発明の概要】
【発明が解決しようとする課題】
【０００７】
図７は、特許文献１によるホットスティック用接続補助具の構成を示す正面図である。本願の図７は、特許文献１の図１に相当している。図７を参照すると、特許文献１によるホットスティック９０は、絶縁性の操作棒７、菊座アダプタ８、及び接続補助具９を備えている。
【０００８】
図７を参照すると、操作棒７は、その先端部に菊座アダプタ８を同軸状に着脱自在に固定している。菊座アダプタ８の基端部と操作棒７の先端部は、ツイストロックと呼ばれる締結手段で連結されている。操作棒７は、その先端部に螺合したカップリングリング７ａを有している。カップリングリング７ａを一方の方向に回転すると、カップリングリング７ａが菊座アダプタ８側に移動して、菊座アダプタ８を操作棒７の先端部に確実に固定できる。
【０００９】
図７を参照すると、菊座アダプタ８は、円板状に成形された菊座部８ａを先端部に設けている。菊座部８ａは、略円形の菊座面の中心から放射状に延びると共に、この菊座面から隆起する複数の突条８１ｓを有している。又、菊座部８ａは、スタッドボルト８ｂと蝶ナット８ｃを備えている。スタッドボルト８ｂは、当該菊座面の中心から突出している。蝶ナット８ｃは、スタッドボルト８ｂに螺合できる。
【００１０】
図７を参照すると、接続補助具９は、相互に接合する角度が自由に変化する自在継手９ｊで連結した、一組の第１菊座棒９１と第２菊座棒９２で構成している。第１菊座棒９１は、円板状に成形された菊座部９１ａを一方の端部に設けている。同様に、第２菊座棒９２は、円板状に成形された菊座部９２ａを他方の端部に設けている。
【００１１】
図７を参照すると、菊座部９１ａは、略円形の菊座面の中心から放射状に延びると共に、この菊座面から隆起する複数の突条９１ｓを有している。又、菊座部９１ａは、当該菊座面の中心に取り付け穴９１ｈを開口している。菊座部８ａの菊座面と菊座部９１ａの菊座面が対面するように、スタッドボルト８ｂを取り付け穴９１ｈに挿入し、蝶ナット８ｃを締結すると、菊座アダプタ８に対して第１菊座棒９１を任意の角度で固定できる。
【００１２】
同様に、図７を参照すると、菊座部９２ａは、略円形の菊座面の中心から放射状に延びると共に、この菊座面から隆起する複数の突条９２ｓを有している。又、菊座部９２ａは、当該菊座面の中心に取り付け穴９２ｈを開口している。そして、菊座部８ａと同様な構成の菊座部を有する先端工具（図示せず）を菊座部９２ａに任意の角度で固定できる。
【００１３】
図７を参照すると、第１菊座棒９１は、中空の円筒部９１ｂを一方の端部に設けている。同様に、第２菊座棒９２は、中空の円筒部９２ｂを他方の端部に設けている。これらの円筒部９１ｂ・９２ｂは、内部に部品を組み込んだ後に突き合わされて、一体に溶接されている。
【００１４】
図７を参照すると、円筒部９２ｂは、球状体９２ｇを内部に配置している。球状体９２ｇは、第２菊座棒９２の軸部と一体に構成され、円筒部９２ｂから離間することは困難であるが、菊座部９２ａが旋回するように、円筒部９２ｂと回転自在に連結している。
【００１５】
一方、図７を参照すると、円筒部９１ｂは、球状体９２ｇの外面に部分的に当接可能な椀状の受け部９１ｄを内部に配置している。受け部９１ｄは、第１菊座棒９１の内部を軸方向に進退可能なスライドロッド９１ｅの先頭に固定されている。
【００１６】
図７を参照すると、第１菊座棒９１の外周に連結したロッキングリング９１ｆを一方の方向に回転すると、図示しない「ねじ送り機構」の作用で、スライドロッド９１ｅを球状体９２ｇ側に移動でき、受け部９１ｄが球状体９２ｇを押圧するので、第１菊座棒９１に対して、第２菊座棒９２を任意の角度で固定できる。
【００１７】
このように、特許文献１によるホットスティック用接続補助具は、操作棒に対する先端工具の傾き角度の自由度が多くなっている。しかし、特許文献１によるホットスティック用接続補助具は、予測と異なって、遠方に位置する先端工具で作業が困難なときには、先端工具を手元に引き戻して、操作棒に対する先端工具の傾き角度を調整し直す必要がある。したがって、特許文献１によるホットスティック用接続補助具は、活線作業の効率が低下するという問題がある。
【００１８】
遠方に位置する先端工具の傾き角度を手元で簡単に調整できように、ホットスティック用接続補助具を構成できれば、活線作業の効率を向上できる。そして、以上のことが本発明の課題といってよい。
【００１９】
本発明は、このような課題に鑑みてなされたものであり、操作棒に対する先端工具の傾き角度を手元で簡単に調整できるホットスティック用接続補助具を提供することを目的とする。
【課題を解決するための手段】
【００２０】
本発明者は、操作棒の内部に回転軸を支持すると共に、ハンドルを操作棒の基端部側に配置し、又、回転軸の先端部に先端工具を着脱自在な工具取り付け具を装備し、ハンドルを回転操作すると、前記先端工具を所定の角度に傾動できる変換機構を接続補助具に設けることにより、この課題が解決可能であると考え、これに基づいて、以下のような新たなホットスティック用接続補助具を発明するに至った。
【００２１】
（１）本発明によるホットスティック用接続補助具は、内部が中空の絶縁性を有する長尺の操作棒、この操作棒の内部に回転自在に支持された第１回転軸、及び前記操作棒の基端部側に配置され、前記第１回転軸に回転を伝動するハンドルを備え、円板状の第１菊座部を有する先端工具を着脱自在に先端部に取り付け可能なホットスティック用接続補助具であって、前記操作棒の先端部に固定された円筒状のトップ金具と、前記操作棒の軸方向に移動が許容されるように、前記トップ金具の内部に支持され、前記第１回転軸の回転運動が当該第１回転軸の軸方向の進退運動に変換される円筒状の移動ナットと、この移動ナットから前記操作棒の先端部に向けて部分的に突出する帯板状のラックと、前記ラックと噛み合って当該ラックの進退運動が回転運動に変換されるピニオンと、このピニオンを固定すると共に、前記トップ金具の先端部に両軸支持される第２回転軸と、この第２回転軸に基端部が固定され、前記第１菊座部を結合可能な円板状の第２菊座部を先端部に有する工具取り付け具と、を備え、前記ハンドルを回転操作すると、前記第２回転軸を中心に前記先端工具を所定の角度に傾動できる。
【００２２】
（２）前記工具取り付け具は、前記第２回転軸が圧入される圧入穴を基端部に設け、正四角形に開口された嵌合穴を先端部の端面に穿設した棒状の保持部材と、前記保持部材の嵌合穴に嵌合可能な正四角柱状の突部を基端部に設け、前記第２菊座部を先端部に設ける菊座アダプタと、前記突部が前記嵌合穴に挿入された状態を維持するように、前記保持部材に螺合するねじ部を突出する締結具と、を有することが好ましい。
【００２３】
（３）前記第１回転軸は、その先端部側に雄ねじ部を有し、前記移動ナットは、前記雄ねじ部に螺合する雌ねじ部を中心部に有することが好ましい。
【００２４】
（４）前記トップ金具に対して前記移動ナットの回転が抑制される回り止め手段を更に備え、この回り止め手段は、前記移動ナットの外周に穿設された複数のＶ字状の第１溝を含み、これらの第１溝に保持される球体を含み、前記第１溝に対向して前記トップ金具の内壁に形成されると共に、前記トップ金具の先端部側の端縁から基端部側に向かって軸中心と平行に延び、前記球体を転動可能に案内するＶ字状の第２溝を含んでいることが好ましい。
【発明の効果】
【００２５】
本発明によるホットスティック用接続補助具は、操作棒の基端部側に設けたハンドルを回転操作すると、遠方に位置する先端工具の傾き角度を調整できる。したがって、活線作業の効率を向上できる。
【００２６】
又、本発明によるホットスティック用接続補助具は、菊座アダプタに設けた突部を保持部材の嵌合穴に挿入するときに、菊座アダプタの菊座面が外周に向かう方向を任意に選択できる。
【図面の簡単な説明】
【００２７】
【図１】本発明の一実施形態によるホットスティック用接続補助具の全体構成を示す正面図である。
【図２】前記実施形態によるホットスティックの基端部側の構成を拡大して示す正面図であり、要部を縦断面で示している。
【図３】前記実施形態によるホットスティック用接続補助具の構成を示す縦断面図である。
【図４】前記実施形態によるホットスティック用接続補助具の構成を示す図であり、図４（Ａ）は、接続補助具の平面図、図４（Ｂ）は、図３のＢ−Ｂ矢視断面図、図４（Ｃ）は、図３のＣ−Ｃ矢視断面図である。
【図５】前記実施形態によるホットスティック用接続補助具の構成を示す右側面図である。
【図６】前記実施形態によるホットスティック用接続補助具の構成を示す斜視分解組立図である。
【図７】従来技術によるホットスティック用接続補助具の構成を示す正面図である。
【発明を実施するための形態】
【００２８】
以下、図面を参照して本発明を実施するための形態を説明する。
［ホットスティック用接続補助具の構成］
最初に、本発明の一実施形態によるホットスティック用接続補助具の構成を説明する。
【００２９】
図１は、本発明の一実施形態によるホットスティック用接続補助具の全体構成を示す正面図である。図２は、前記実施形態によるホットスティックの基端部側の構成を拡大して示す正面図であり、要部を縦断面で示している。図３は、前記実施形態によるホットスティック用接続補助具の構成を示す縦断面図である。
【００３０】
図１を参照すると、本発明の一実施形態によるホットスティック用接続補助具（以下、接続補助具と略称する）１０は、先端工具１ｔを先端部に着脱自在に取り付けることができる。先端工具１ｔは、円板状の第１菊座部１１ｔを基端部に有している。図１では、先端工具１ｔの実施例として、フックバーを示している。フックバーは、分岐した棒状部材でリング部材（図示せず）を係止でき、Ｕ字状に湾曲したアームをリング部材（図示せず）に繋留して、当該リング部材を回転することもできる。
【００３１】
（ホットスティックの構成）
図１を参照すると、ホットスティックＨｓは、長尺の操作棒１を備えている。操作棒１は、内部が中空に構成され、第１回転軸１２を回転自在に支持している（図２及び図３参照）。操作棒１は、ＦＲＰなどからなる絶縁筒棒１１と金属筒棒１３を同軸に結合している。絶縁筒棒１１は、先端部に円筒状のトップ金具１５を固定している。金属筒棒１３は、ギヤボックス１４を基端部側に膨出している。又、金属筒棒１３は、その軸部が絶縁性を有するチューブ１３ａで被覆されている（図２参照）。第１回転軸１２は、その中間部が絶縁部材（図示せず）で中継されていることが好ましい。
【００３２】
図１を参照すると、絶縁筒棒１１は、ゴム製の円錐状の水切り鍔１１ａを取り付けている。同様に、金属筒棒１３は、ゴム製の円錐状の限界鍔１１ｂを取り付けている。水切り鍔１１ａは、絶縁筒棒１１の先頭側から伝わる雨滴などを堰き止めることができる。限界鍔１１ｂは、作業者が架空電線の直下で作業する場合に、架空電線に接近する限界距離を規定している。
【００３３】
（ハンドルの構成）
図１又は図２を参照すると、ホットスティックＨｓは、第１回転軸１２に回転を伝動するハンドル２を備えている。ハンドル２は、操作棒１の基端部側に配置されたギヤボックス１４に配置されている。ギヤボックス１４は、その外周の一部がリッドハウジング（蓋体）１４ａで封鎖されている。更に、リッドハウジング１４ａは、内部に支持された軸受２１ｂを軸方向に保持する軸受押え１４ｂで封鎖されている。
【００３４】
図２を参照すると、ハンドル２は、ハンドルアーム２ａとノブ２ｂで構成している。ハンドルアーム２ａは、その基端部が支軸２１の端部に連結している。又、ハンドルアーム２ａは、その先端部にノブ２ｂを回転可能に保持している。ハンドルアーム２ａの基端部を中心に、ノブ２ｂを旋回するように回転すると、支軸２１を回転できる。
【００３５】
図２を参照すると、支軸２１は、軸受２１ｂで回転自在に支持されている。又、支軸２１は、第１傘歯車（ベベルギヤ）２１ｇを固定している。一方、第１回転軸１２は、第１傘歯車２１ｇに噛み合う第２傘歯車（ベベルギヤ）１２ｇを基端部に固定している。第１回転軸１２の基端部は、軸受１２ａでスラスト方向（軸方向）及びラジアル方向（円周方向）に支持されている。そして、ハンドル２を回転すると、ハンドル２の回転を第１回転軸１２に伝動できる。
【００３６】
引き続き、実施形態による接続補助具１０の構成を説明する。図４は、前記実施形態によるホットスティック用接続補助具の構成を示す図であり、図４（Ａ）は、接続補助具の平面図、図４（Ｂ）は、図３のＢ−Ｂ矢視断面図、図４（Ｃ）は、図３のＣ−Ｃ矢視断面図である。
【００３７】
又、図５は、前記実施形態によるホットスティック用接続補助具の構成を示す右側面図である。図６は、前記実施形態によるホットスティック用接続補助具の構成を示す斜視分解組立図である。
【００３８】
図３から図６を参照すると、接続補助具１０は、円筒状のトップ金具１５、円筒状の移動ナット３、及び帯板状のラック３１を備えている。又、接続補助具１０は、ピニオン４１と第２回転軸４２を備えている。更に、接続補助具１０は、工具取り付け具５を備えている。
【００３９】
図３を参照すると、第１回転軸１２の先端部は、軸受１２ｂでスラスト方向及びラジアル方向に支持されている。又、第１回転軸１２の先端部側は、雄ねじ部１２ｃを形成している。一方、移動ナット３は、雄ねじ部１２ｃに螺合する雌ねじ部３ａを中心部に形成している。
【００４０】
図３及び図４（Ｃ）を参照すると、接続補助具１０は、トップ金具１５に対して移動ナット３の回転が抑制される回り止め手段３０を更に備えている。回り止め手段３０は、移動ナットの外周に穿設された複数のＶ字状の第１溝３１１を含み、これらの第１溝３１１に保持される球体３ｂを含み、第１溝３１１に対向して、トップ金具１５の内壁に形成されたＶ字状の第２溝１５１を含んでいる。
【００４１】
図３を参照すると、第２溝１５１は、トップ金具１５の先端部側の端縁から基端部側に向かって軸中心と平行に延びている。そして、第２溝１５１は、球体３ｂを転動可能に案内している。このように、移動ナット３は、操作棒１の軸方向に移動が許容されるように、トップ金具１５の内部に支持されている。そして、移動ナット３は、第１回転軸１２の回転運動が第１回転軸１２の軸方向の進退運動に変換されている。
【００４２】
図３及び図６を参照すると、移動ナット３とラック３１は、一体に形成されている。ラック３１は、移動ナット３と共に進退できる。ラック３１は、移動ナット３から操作棒１の先端部に向けて部分的に突出している。そして、ラック３１は、複数のラック歯３１ａを内壁側に形成している。
【００４３】
図３又は図４（Ｂ）を参照すると、ピニオン４１は、ラック３１のラック歯３１ａと噛み合う複数のギヤ歯４１ａを外周に形成している。そして、ラック３１の進退運動をピニオン４１の回転運動に変換することができる。
【００４４】
図６を参照すると、ピニオン４１は、圧入穴４１ｂを中心部に開口している。圧入穴４１ｂに第２回転軸４２を圧入して、ピニオン４１を第２回転軸４２に固定できる（図４（Ｂ）参照）。図５を参照すると、第２回転軸４２は、トップ金具１５の両翼から部分的に突出した一対の支持アーム１５ａ・１５ａに両軸支持されている。
【００４５】
又、図４（Ｂ）又は図５及び図６を参照すると、一対の支持アーム１５ａ・１５ａに対して、第２回転軸４２が軸方向に移動しないように、第２回転軸４２の両端部には、一対の止め輪４３・４３を取り付けている。
【００４６】
（工具取り付け具の構成）
図３又は図５及び図６を参照すると、工具取り付け具５は、棒状の保持部材５１、菊座アダプタ５２、及び締結具５３を有している。保持部材５１は、第２回転軸４２が圧入される圧入穴（図示せず）を基端部に設けている。又、保持部材５１は、正四角形に開口された嵌合穴５１ａを先端部の端面に穿設している。
【００４７】
図３又は図５及び図６を参照すると、菊座アダプタ５２は、保持部材５１の嵌合穴５１ａに嵌合可能な正四角柱状の突部５２ａを基端部に設けている。又、菊座アダプタ５２は、円板状に成形された第２菊座部５２ｂを先端部に設けている。締結具５３は、突部５２ａが嵌合穴５１ａに挿入された状態を維持するように、保持部材５１に螺合するねじ部５３ａを突出している。又、締結具５３は、把持可能な大きな外径を有する把持部５３ｂを備えている。
【００４８】
図３又は図６を参照すると、第２菊座部５２ｂは、略円形の菊座面の中心から放射状に延びると共に、この菊座面から隆起する複数の突条５２ｓを有している。又、第２菊座部５２ｂは、スタッドボルト５ｂと蝶ナット５ｃを備えている。スタッドボルト５ｂは、当該菊座面の中心から突出している。蝶ナット５ｃは、スタッドボルト５ｂに螺合できる。そして、菊座アダプタ５２は、第２菊座部５２ｂの菊座面と蝶ナット５ｃの間に、第１菊座部１１ｔを挟持できる（図１参照）。
【００４９】
［ホットスティック用接続補助具の作用］
次に、実施形態による接続補助具１０の動作を説明しながら、接続補助具１０の作用及び効果を説明する。
【００５０】
図１又は図２を参照して、操作棒１の基端部側に配置されたハンドル２を回転すると、一組の第１傘歯車２１ｇ・第２傘歯車１２ｇを介して、第１回転軸１２を回転することができる。図３を参照して、第１回転軸１２が回転すると、第１回転軸１２の先端部側にねじ結合した移動ナット３を第１回転軸１２の軸方向に進退できる。
【００５１】
図２又は図３を参照して、ハンドル２を一方の方向に回転すると、移動ナット３を第１回転軸１２の基端部側に向かって後退でき、ハンドル２を他方の方向に回転すると、移動ナット３を第１回転軸１２の先端部側に向かって進出できる。
【００５２】
図３を参照して、移動ナット３とラック３１は、一体で構成しているので、ラック３１が後退すると、ピニオン４１を時計方向に回転できる。すなわち、第２回転軸４２を中心として、第２菊座部５２ｂを時計方向に所定の角度に傾動できる。そして、第２菊座部５２ｂに予め取り付けた先端工具１ｔを時計方向に傾動できる（図１参照）。
【００５３】
一方、図３を参照して、ラック３１が進出すると、ピニオン４１を反時計方向に回転できる。すなわち、第２回転軸４２を中心として、第２菊座部５２ｂを反時計方向に所定の角度に傾動できる。そして、第２菊座部５２ｂに予め取り付けた先端工具１ｔを反時計方向に傾動できる（図１参照）。
【００５４】
図１を参照して、実施形態による接続補助具１０は、操作棒の基端部（手元部）に設けたハンドル２を回転操作すると、遠方に位置する先端工具１ｔの傾き角度を調整できる。実施形態による接続補助具１０は、微妙な挙動が要求されるフックバーなどの先端工具１ｔを操作するのに適している。そして、実施形態による接続補助具１０は、活線作業の効率を向上できる。
【００５５】
図５又は図６を参照すると、工具取り付け具５は、棒状の保持部材５１に対して、菊座アダプタ５２を着脱自在に構成している。菊座アダプタ５２に設けた突部５２ａの嵌合穴５１ａに挿入する方向を変えて、第２菊座部５２ｂの菊座面が外周方向に向かう向きを変えることができる。すなわち、第２菊座部５２ｂの菊座面は、図３の紙面上と平行に傾動することもでき、図３の紙面と直交する平面と平行に傾動することもできる。
【００５６】
このように、実施形態による接続補助具１０は、菊座アダプタ５２に設けた突部５２ａを保持部材５１の嵌合穴５１ａに挿入するときに、菊座アダプタ５２の菊座面が外周に向かう方向を任意に選択できる。
【００５７】
実施形態による接続補助具１０は、以下のような効果が期待できる。
（１）作業者の疲労を軽減できる。
（２）作業中に先端工具の角度を手元で自由に変えることができる。
（３）作業時間を短縮できる可能性がある。
（４）不用意に活線に近づく心配がないため、安全に作業できる。
【００５８】
本発明によるホットスティック用接続補助具は、操作棒の外周に設けたハンドルを回転して先端工具を傾動させる実施形態を開示したが、これに限定されない。ハンドルは、自在継手を介して、第１回転軸に直結するように操作棒の末端部に設けることもできる。又、第１回転軸を回動するように、操作棒と別の操作棒を操作棒と平行に配置してもよく、いわゆる、２軸回転操作棒であっても、本発明を実現できる。
【符号の説明】
【００５９】
１  操作棒
１ｔ  先端工具
２  ハンドル
３  移動ナット
５  工具取り付け具
１０  接続補助具（ホットスティック用接続補助具）
１１ｔ  第１菊座部
１２  第１回転軸
１５  トップ金具
３１  ラック
４１  ピニオン
４２  第２回転軸
５２ｂ  第２菊座部
【図１】
2012228070.tif 000003
【図２】
2012228070.tif 000004
【図３】
2012228070.tif 000005
【図４】
2012228070.tif 000006
【図５】
2012228070.tif 000007
【図６】
2012228070.tif 000008
【図７】
2012228070.tif 000009